(57)【要約】【課題】  写真プリント作成場所から離れた所にいる写真プリント発注者に対して、写真プリントの作成の進捗状況をリアルタイムに報知することを可能とする。【解決手段】  写真プリント発注者が利用するパソコン１１０とインターネット３を介して通信可能な写真プリント注文管理装置１６０に、写真プリントの作成についての進捗状況に関する情報を記憶する進捗状況情報記憶部と、写真プリントの作成が進捗するに連れて、進捗状況情報記憶部の記憶内容を逐次変更する進捗状況情報変更部と、パソコン１１０から送信されてきた識別番号を、識別番号の認証情報を記憶する認証情報記憶部の記憶内容に基づいて認証する認証部と、パソコン１１０から送信されてきた識別番号を認証部が認証した場合に、進捗状況情報記憶部の記憶内容がパソコン１１０にリアルタイムに逐次送信されるような制御を行う進捗状況送信制御部とが備えられている。【選択図】        図１
2006331174.tif 000002
【特許請求の範囲】
【請求項１】
写真プリント発注者が利用する端末と通信ネットワークを介して通信可能である写真プリント注文管理装置において、
前記写真プリント発注者が注文した写真プリントの作成についての進捗状況に関する情報を注文単位で記憶する進捗状況情報記憶手段と、
写真プリントの作成が進捗するに連れて、前記進捗状況情報記憶手段に記憶された進捗状況に関する情報を、注文単位で逐次変更する進捗状況情報変更手段と、
前記進捗状況情報記憶手段に記憶された当該注文に係る進捗状況に関する情報が前記通信ネットワークを介して前記端末にリアルタイムで逐次送信されるような制御を行う進捗状況送信制御手段とを備えていることを特徴とする写真プリント注文管理装置。
【請求項２】
前記端末から前記通信ネットワークを介して送信されてきた識別番号の認証情報を記憶する認証情報記憶手段と、
前記端末から前記通信ネットワークを介して送信されてきた識別番号を、前記認証情報記憶手段に記憶された認証情報に基づいて認証する認証手段とをさらに備えており、
前記進捗状況送信手段が、前記端末から送信されてきた識別情報を前記認証手段が認証した場合に、前記進捗状況記憶手段に記憶された当該注文に係る進捗状況に関する情報が前記端末に送信されるような制御を行うことを特徴とする請求項１に記載の写真プリント注文管理装置。
【請求項３】
前記写真プリント発注者が写真プリントを注文したときに当該注文について識別番号を発行する識別番号発行手段をさらに備えていることを特徴とする請求項２に記載の写真プリント注文管理装置。
【請求項４】
前記写真プリント発注者が写真プリントを注文したときに当該注文について識別番号を発行する識別番号発行装置と通信ネットワークを介して接続されていることを特徴とする請求項２に記載の写真プリント注文管理装置。
【請求項５】
前記端末には、前記進捗状況送信制御手段の制御に基づいて送信された進捗状況に関する情報を前記端末にリアルタイムで逐次報知させる報知プログラムが記憶されていることを特徴とする請求項１〜４のいずれか１項に記載の写真プリント注文管理装置。
【請求項６】
写真プリント発注者が注文した写真プリントの作成についての進捗状況に関する情報を注文単位で記憶する進捗状況情報記憶手段と、
写真プリントの作成が進捗するに連れて、前記進捗状況情報記憶手段に記憶された進捗状況に関する情報を、注文単位で逐次変更する進捗状況情報変更手段と、
前記進捗状況情報記憶手段に記憶された当該注文に係る進捗状況に関する情報が写真プリント発注者が利用する端末にリアルタイムで逐次送信されるような制御を行う進捗状況送信制御手段とを備えていることを特徴とする写真プリント注文管理システム。
【請求項７】
写真プリント発注者が注文した写真プリントを作成するプリンタと、
前記写真プリント発注者が利用する端末と、
前記写真プリント発注者が注文した写真プリントの作成についての進捗状況に関する情報を注文単位で記憶する進捗状況情報記憶手段と、
写真プリントの作成が進捗するに連れて、前記進捗状況情報記憶手段に記憶された進捗状況に関する情報を、注文単位で逐次変更する進捗状況情報変更手段と、
前記進捗状況情報記憶手段に記憶された当該注文に係る進捗状況に関する情報が前記端末にリアルタイムで逐次送信されるような制御を行う進捗状況送信制御手段とを備えていることを特徴とする写真プリントシステム。
【発明の詳細な説明】
【技術分野】
【０００１】
本発明は、写真プリント発注者が利用する端末と通信ネットワークを介して通信可能である写真プリント注文管理装置及びプリント注文管理システム、ならびに写真プリントを作成する写真プリントシステムに関する。
【背景技術】
【０００２】
特許文献１には、プリント店において写真プリントの注文が行われた際に、注文された写真プリントが仕上がったことを写真プリント発注者に報知する技術が開示されている。具体的には、写真プリントが仕上がった際に、注文受け付け時に発注者に発行される受付証に記載された受付番号、及び注文受け付け時に撮影された発注者の顔の画像を、プリント店の店内に設置されたディスプレイに表示する。これにより、発注者はディスプレイを見ることで注文した写真プリントが仕上がったことを知ることができる。また、ディスプレイに表示された発注者の顔の画像を見ることで、店内にいる誰もが、どの発注者の写真プリントが仕上がったかを知ることができる。したがって、発注者自身がディスプレイを見るのを忘れていた場合であっても、写真プリントが仕上がったことを注文を行った発注者に他の人が知らせることが可能である。
【特許文献１】特開平１０−２０４０７号公報
【発明の開示】
【発明が解決しようとする課題】
【０００３】
しかしながら、上述のような方法で発注者に写真プリントの仕上がりを報知することができるのは、発注者がプリント店の店内で仕上がりを待つ場合のみである。注文を行った発注者が一旦自宅に戻る場合等には、発注者に写真プリントの仕上がりを報知することができない。また、発注者が、自宅等プリント店以外の場所からインターネットを介して写真プリントの注文を行う場合も、発注者に写真プリントの仕上がりを報知することができない。
【０００４】
そこで、本発明の目的は、写真プリント作成場所から離れた所にいる写真プリント発注者に対して、写真プリントの作成の進捗状況をリアルタイムに報知することが可能な写真プリント注文管理装置、写真プリント注文管理システム、及び写真プリントシステムを提供することである。
【課題を解決するための手段及び効果】
【０００５】
本発明の写真プリント注文管理装置は、写真プリント発注者が利用する端末と通信ネットワークを介して通信可能である写真プリント注文管理装置において、前記写真プリント発注者が注文した写真プリントの作成についての進捗状況に関する情報を注文単位で記憶する進捗状況情報記憶手段と、写真プリントの作成が進捗するに連れて、前記進捗状況情報記憶手段に記憶された進捗状況に関する情報を、注文単位で逐次変更する進捗状況情報変更手段と、前記進捗状況情報記憶手段に記憶された当該注文に係る進捗状況に関する情報が前記通信ネットワークを介して前記端末にリアルタイムで逐次送信されるような制御を行う進捗状況送信制御手段とを備えている。
【０００６】
本発明の写真プリント注文管理システムは、写真プリント発注者が注文した写真プリントの作成についての進捗状況に関する情報を注文単位で記憶する進捗状況情報記憶手段と、写真プリントの作成が進捗するに連れて、前記進捗状況情報記憶手段に記憶された進捗状況に関する情報を、注文単位で逐次変更する進捗状況情報変更手段と、前記進捗状況情報記憶手段に記憶された当該注文に係る進捗状況に関する情報が写真プリント発注者が利用する端末にリアルタイムで逐次送信されるような制御を行う進捗状況送信制御手段とを備えている。この写真プリント注文管理システムにおいて、各手段は１つの装置内に設けられている必要はない。すなわち、本写真プリント注文管理システムは、各手段が別々の装置内に設けられており、それが互いに通信可能な状態におかれているような態様を含包している。
【０００７】
本発明の写真プリントシステムは、写真プリント発注者が注文した写真プリントを作成するプリンタと、前記写真プリント発注者が利用する端末と、前記写真プリント発注者が注文した写真プリントの作成についての進捗状況に関する情報を注文単位で記憶する進捗状況情報記憶手段と、写真プリントの作成が進捗するに連れて、前記進捗状況情報記憶手段に記憶された進捗状況に関する情報を、注文単位で逐次変更する進捗状況情報変更手段と、前記進捗状況情報記憶手段に記憶された当該注文に係る進捗状況に関する情報が前記端末にリアルタイムで逐次送信されるような制御を行う進捗状況送信制御手段とを備えている。この写真プリントシステムにおいても、プリンタと端末以外の各手段は１つの装置内に設けられている必要はない。すなわち、本写真プリントシステムは、各手段が別々の装置内に設けられており、それが互いに通信可能な状態におかれているような態様を含包している。
【０００８】
これらの構成によると、写真プリント発注者が利用する端末に逐次送信される進捗状況に関する情報により、写真プリントの発注者は、注文した写真プリントの作成についての進捗状況を知ることができる。したがって、写真プリント作成場所から離れた所にいる写真プリント発注者に対して、写真プリントの作成の進捗状況をリアルタイムに報知することができる。
【０００９】
本発明の写真プリント管理装置は、前記端末から前記通信ネットワークを介して送信されてきた識別番号の認証情報を記憶する認証情報記憶手段と、前記端末から前記通信ネットワークを介して送信されてきた識別番号を、前記認証情報記憶手段に記憶された認証情報に基づいて認証する認証手段とをさらに備えており、前記進捗状況送信手段が、前記端末から送信されてきた識別情報を前記認証手段が認証した場合に、前記進捗状況記憶手段に記憶された当該注文に係る進捗状況に関する情報が前記端末に送信されるような制御を行うことが好ましい。この構成によると、認証手段で認証された識別番号を送信した人に、写真プリントの作成の進捗状況を報知することができる。
【００１０】
本発明の写真プリント注文管理装置は、前記写真プリント発注者が写真プリントを注文したときに当該注文について識別番号を発行する識別番号発行手段をさらに備えていてもよい。
【００１１】
本発明の写真プリント注文管理装置は、前記写真プリント発注者が写真プリントを注文したときに当該注文について識別番号を発行する識別番号発行装置と通信ネットワークを介して接続されていてもよい。
【００１２】
これらの構成によると、写真プリント発注者に、発注者が行った注文に係る識別番号を発行することができる。そして、発注者の端末から送信された識別番号が認証手段によって認証された場合に、当該識別番号に係る注文の進捗状況を端末に送信することで、発注者が行った注文の進捗状況を、確実に発注者に報知することができる。
【００１３】
本発明の写真プリント注文管理装置においては、前記端末には、前記進捗状況送信制御手段の制御に基づいて送信された進捗状況に関する情報を前記端末にリアルタイムで逐次報知させる報知プログラムが記憶されていることが好ましい。この構成によると、報知プログラムによって、写真プリントの発注者が写真プリントの作成の進捗状況をリアルタイムで知ることが容易になる。
【発明を実施するための最良の形態】
【００１４】
以下、本発明の好適な実施の形態について、図面を参照しつつ説明する。図１は、本発明の第１の実施の形態に係る写真プリント注文管理装置を含んで構成される写真プリントシステムの概略構成を示す図である。
【００１５】
図１に示す写真プリントシステム１は、インターネット３を利用して写真プリントの注文を受け付け、写真プリントを作成するシステムであり、写真プリント発注者の自宅に設置されたパーソナルコンピュータ（以降、「パソコン」と称する）１１０と、複数のプリント店にそれぞれ設置された写真プリントを作成するための複数の写真処理装置１４０と、写真プリント発注者によってなされた写真プリントの注文を管理する写真プリント注文管理装置（以降、単に「注文管理装置」と称する）１６０と、カード会社１９０ａと通信可能であり、クレジットカードの決済を行う決済サーバ１９０とを備えている。そして、パソコン１１０、写真処理装置１４０、注文管理装置１６０、及び決済サーバ１９０は、それぞれインターネット３に接続されている。なお、決済サーバ１９０の詳細な機能については、本発明に直接関係しないので本明細書では説明を省略する。
【００１６】
次に、図２を用いて、本実施の形態のパソコン１１０の構成について説明する。図２は、本実施の形態のパソコン１１０の概略構成を示すブロック図である。
【００１７】
図２に示すように、パソコン１１０は、パソコン１１０全体を制御するコントローラ１２０と、写真プリント発注者がパソコン１１０に指示を入力するためのキーボード１１１、及びマウス１１２と、セットされたメディアに記録された画像データファイルを読み出すためのメディアドライブ１１３と、パソコン１１０に関する様々な情報を表示するためのディスプレイ１１４と、インターネット３に接続するためのインターネット接続端子１１５とを備えている。
【００１８】
コントローラ１２０は、表示制御部１２１、コンテンツデータ取得部１２２、コンテンツデータ記憶部１２３、画像データ記憶部１２４、合成部１２５、入力情報記憶部１２６、発注情報送信部１２７、カード情報送信部１２８、送信要求送信部１２９、報知プログラム記憶部１３０、報知プログラム実行部１３１、識別番号送信部１３２、エラー信号受信部１３３、及び中止信号送信部１３４を有している。
【００１９】
表示制御部１２１は、ディスプレイ１１３に、後で詳述する初期画面１０（図６参照）、注文画面１５（図７参照）、プリンタ選択画面２０（図８参照）、受取場所選択画面２５（図９参照）、支払経路選択画面３０（図１０参照）、カード情報入力画面３５（図１１参照）、確認画面４０（図１２参照）、完了画面４５（図１３参照）、識別番号入力画面６０（図１９参照）、及び進捗状況表示画面６５（図２０参照）を表示する。また、表示制御部１２１は、後で詳述するように６コマのサムネイル画像を含む注文画面１５を、後で詳述する画像データ記憶部１２４に記憶されている複数の画像データファイルに係る複数のサムネイル画像のうち、未だディスプレイ１１３に表示されていないサムネイル画像を含む別の注文画面１５に切り換える。
【００２０】
コンテンツデータ取得部１２２は、注文管理装置１６０の後述するコンテンツデータ記憶部１７１に記憶されているコンテンツデータを、インターネット３を介して取得する。コンテンツデータ記憶部１２３は、コンテンツデータ取得部１２２が取得したコンテンツデータを記憶する。なお、コンテンツデータには、表示制御部１２１の制御によってディスプレイ１１３に表示される初期画面１０（図６参照）、注文画面１５（図７参照）、プリンタ選択画面２０（図８参照）、受取場所選択画面２５（図９参照）、支払経路選択画面３０（図１０参照）、カード情報入力画面３５（図１１参照）、注文内容確認画面４０（図１２参照）、及び完了画面４５（図１３参照）のテンプレートデータファイルが含まれている。
【００２１】
初期画面１０のテンプレートデータファイルに基づいてディスプレイ１１３に表示される初期画面１０には、図６に示すように、写真プリントの注文を開始するための開始ボタン１１が表示される。操作者は、マウス１１２のカーソルを開始ボタン１１に合わせた状態で、マウス１１２の右ボタンまたは左ボタンをクリックすることによって、開始ボタン１１を操作することができる。
【００２２】
注文画面１５のテンプレートデータファイルは、後で詳述するように、合成部１２５によって、画像データ記憶部１２４に記憶された画像データファイルのサムネイル画像ファイルと合成される。合成によって生成される注文画面データファイルに基づいて、ディスプレイ１１３に表示される注文画面１５には、図７に示すように、画像データ記憶部１２４に記憶された画像データファイルに係る複数のサムネイル画像のうち６コマ分のサムネイル画像１６と、各サムネイル画像のプリント枚数を入力するための入力欄１７と、入力欄１７に表示されているプリント枚数を増加させるための増加ボタン１８及び減少させるための減少ボタン１８とが表示される。操作者は、プリント枚数の入力を希望するサムネイル画像１６に係る入力欄１７にマウス１１２のカーソルを合わせた状態でマウス１１２の右ボタンまたは左ボタンをクリックすることで、当該入力欄１７を入力可能な状態とし、キーボード１１１のテンキー（図示せず）によって当該入力欄１７にプリント枚数を入力することができる。また、増加ボタン１８または減少ボタン１９にマウス１１２のカーソルを合わせた状態でマウス１１２の右ボタンまたは左ボタンをクリックすることによって増加ボタン１８または減少ボタン１９を操作し、入力欄１７に表示されているプリント枚数を増減させることもできる。
【００２３】
プリンタ選択画面２０のテンプレートデータファイルには、複数の写真処理装置１４０について、各写真処理装置１４０が設置されたプリント店の店名及び住所と、仕上がった写真プリントの配送が可能であるか否か、現金決済が可能であるか否か、及びクレジット決済が可能であるか否かの情報が含まれている。そして、プリンタ選択画面２０のテンプレートデータファイルに基づいて、ディスプレイ１１３に表示されるプリンタ選択画面２０には、図８に示すように、どのプリント店に設置された写真処理装置１４０で写真プリントを作成するかの複数の選択肢が表示される。操作者は、プリンタ選択画面２０に表示された複数の選択肢の中の１つにマウス１１２のカーソルを合わせた状態でマウス１１２の右ボタンまたは左ボタンをクリックすることによって、写真処理装置１４０が設置された複数のプリント店の中から１つを選択することができる。
【００２４】
受取場所選択画面２５のテンプレートデータファイルには、仕上がった写真プリントを受け取ることができる場所の選択肢（プリント店の店頭または自宅）、及び複数の写真処理装置１４０がそれぞれ設置されているプリント店の営業日時の情報が含まれている。そして、受取場所選択画面２５のテンプレートデータファイルに基づいて、ディスプレイ１１３に表示される受取場所選択画面２５には、図９に示すように、仕上がった写真プリントを、当該写真プリントを作成した写真処理装置１４０が設置されたプリント店の店頭で受け取る場合と、自宅で受け取る場合との２つの選択肢と、プリンタ選択画面２０で選択したプリント店の営業日時とが表示される。操作者は、受取場所選択画面２５に表示された複数の選択肢の中の１つにマウス１１２のカーソルを合わせた状態でマウス１１２の右ボタンまたは左ボタンをクリックすることによって、写真プリントを受け取る場所を選択することができる。
【００２５】
支払経路選択画面３０のテンプレートデータファイルには、写真プリントの代金の支払経路の選択肢（現金決済またはクレジットカード決済）の情報が含まれている。そして、支払経路選択画面３０のテンプレートデータファイルに基づいて、ディスプレイ１１３に表示される支払経路選択画面３０には、図１０に示すように、写真プリントの代金を現金で支払う場合と、クレジットカードで支払場合との２つの選択肢が表示される。操作者は、支払経路選択画面３０に表示された複数の選択肢の中の１つにマウス１１２のカーソルを合わせた状態でマウス１１２の右ボタンまたは左ボタンをクリックすることによって、写真プリントの代金の支払経路を選択することができる。
【００２６】
カード情報入力画面３５のテンプレートデータファイルに基づいてディスプレイ１１３に表示されるカード情報入力画面３５には、図１１に示すように、カード番号入力欄３６と、有効期限入力欄３７とが表示される。操作者は、マウス１１２のカーソルを入力欄３６または３７に合わせた状態でマウス１１２の右ボタンまたは左ボタンをクリックすることで当該入力欄を入力可能な状態とし、キーボード１１１のテンキー（図示せず）を用いて数字を入力することができる。このようにして、カード番号入力欄３６及び有効期限入力欄３７に写真プリント発注者が所有するクレジットカードのカード番号及び有効期限（以降、まとめて「カード情報」と称する場合がある）をそれぞれ入力することができる。
【００２７】
確認画面４０のテンプレートデータファイルは、後で詳述するように、合成部１２５によって、入力情報記憶部１２６に記憶されている入力データファイルと合成される。そして、合成によって生成される確認画面データファイルに基づいて、ディスプレイ１１３に表示される確認画面４０には、図１２に示すように、発注者が注文した写真プリントのプリント枚数、金額、発注先、写真プリントの受取場所、及び支払経路が表示される。さらに、クレジットカードで支払いを行う場合には、カード情報が表示される。
【００２８】
完了画面４５のテンプレートデータファイルに基づいてディスプレイ１１３に表示される完了画面４５には、図１３に示すように、写真プリントの注文を受け付けた旨を伝えるメッセージと、当該注文についての識別番号であり、当該注文の写真プリントの作成の進捗状況を確認する際に必要となるＩＤ及びパスワードと、注文管理装置１６０に対して後で詳述する報知プログラムの送信を要求するためのダウンロードボタン４６とが表示される。操作者は、マウス１１２のカーソルをダウンロードボタン４６に合わせた状態でマウス１１２の右ボタンまたは左ボタンをクリックすることで、ダウンロードボタン４６を操作することができる。
【００２９】
なお、注文画面１５、プリンタ選択画面２０、受取場所選択画面２５、支払経路選択画面３０、カード情報入力画面３５、及び確認画面４０には、各画面１５〜４０において表示されている内容や操作者がキーボード１１１またはマウス１１２を用いて入力した内容を確定し、ディスプレイ１１３に表示されている画面を切り換えるための確定ボタン５１と、ディスプレイ１１３に表示されている画面を直前に表示されていた画面に切り換えるための戻るボタン５２と、写真プリントの注文を中止するための中止ボタン５３とがそれぞれ表示される。確定ボタン５１、戻るボタン５２、及び中止ボタン５３は、マウス１１２のカーソルを各ボタン５１、５２、または５３に合わせた状態でマウス１１２の右ボタンまたは左ボタンをクリックすることによってそれぞれ操作することができる。
【００３０】
図２に戻って、画像データ記憶部１２４は、メディアドライブ１１４によってメディアから読み出された画像データファイルを記憶する。
【００３１】
合成部１２５は、コンテンツデータ記憶部１２３に記憶されている注文画面１５のテンプレートデータファイルに含まれる画像配置レイアウトに関する情報に基づいて、画像データ記憶部１２４に記憶されている画像データファイルに係るサムネイル画像が配置された注文画面１５に相当する注文画面データファイルが生成されるように、画像データ記憶部１２４に記憶されている画像データファイルのサムネイル画像を生成すると共に、注文画面１５のテンプレートデータファイルと画像データファイルのサムネイル画像ファイルとを合成する。また、合成部１２５は、コンテンツデータ記憶部１２３に記憶されている確認画面４０のテンプレートデータファイルと、入力情報記憶部１２６に記憶されている入力データファイルとを合成することによって、確認画面４０に相当する確認画面データファイルを生成する。
【００３２】
入力情報記憶部１２６は、パソコン１１０の操作者によって、キーボード１１１またはマウス１１２を用いて入力された情報である入力データファイルが記憶される。そして、入力情報記憶部１２６は、注文情報記憶部１２６ａとカード情報記憶部１２６ｂとを有している。注文情報記憶部１２６ａには、キーボード１１１またはマウス１１２を用いて入力された注文情報が記憶される。注文情報とは、注文画面１５において入力される各画像データファイルに係る画像のプリント枚数、及びプリンタ選択画面２０、受取場所選択画面２５、支払経路選択画面３０においてそれぞれ選択される選択肢である。カード情報記憶部１２６ｂには、カード情報入力画面３５において入力されるカード情報が記憶される。
【００３３】
発注情報送信部１２７は、画像データ記憶部１２４に記憶されている画像データファイルと、注文情報記憶部１２６ａに記憶されている注文情報とからなる発注情報を、インターネット３を介して注文管理装置１６０に送信する。カード情報送信部１２８は、カード情報記憶部１２６ｂに記憶されているカード情報を、インターネット３を介して決済サーバ１９０に送信する。
【００３４】
送信要求送信部１２９は、完了画面４５において、操作者によってダウンロードボタン４６が操作された場合に、注文管理装置１６０の後述する報知プログラム記憶部１８５に格納されている報知プログラムのパソコン１１０への送信要求を注文管理装置１６０に送信する。
【００３５】
報知プログラム記憶部１３０は、送信要求送信部１２９が送信した送信要求によって注文管理装置１６０から送信された報知プログラムを格納する。報知プログラム実行部１３１は、報知プログラム記憶部１３０に格納された報知プログラムを実行する。
【００３６】
報知プログラム実行部１３１によって報知プログラムが実行されると、表示制御部１２１の制御によって、ディスプレイ１１３には、図１９に示すような識別番号入力画面６０が表示される。識別番号入力画面６０には、ＩＤ入力欄６１、パスワード入力欄６２、ＯＫボタン６３、及びキャンセルボタン６４が表示される。操作者は、マウス１１２のカーソルを入力欄６１または６２に合わせた状態でマウス１１２の右ボタンまたは左ボタンをクリックすることによって当該入力欄を入力可能な状態とし、キーボード１１１のテンキー（図示せず）を用いて数字を入力することができる。このようにして、ＩＤ入力欄６１及びパスワード入力欄６２に、完了画面４５で表示されたＩＤ及びパスワードをそれぞれ入力することができる。また、操作者が、ＩＤ及びパスワードを入力した後、マウス１１２のカーソルをＯＫボタン６３に合わせた状態でマウス１１２の右ボタンまたは左ボタンをクリックすると、表示制御部１２１の制御により識別番号入力画面６０が閉じられると共に、後で詳述するように、識別番号送信部１３２が入力されたＩＤ及びパスワードを注文管理装置１６０に送信する。なお、操作者が、マウス１１２のカーソルをキャンセルボタン６４に合わせた状態でマウス１１２の右ボタンまたは左ボタンをクリックした場合には、表示制御部１２１の制御により識別番号入力画面６０が閉じられると共に、報知プログラムは終了する。
【００３７】
そして、識別番号入力画面６０で入力されたＩＤ及びパスワードが注文管理装置１６０に送信された後、注文管理装置１６０から発注者が注文した写真プリントの作成についての進捗状況に関する情報が送信されると、表示制御部１２１の制御によって、ディスプレイ１１３には、図２０に示すような進捗状況表示画面６５が表示される。進捗状況表示画面６５には、注文管理装置１６０から送信された進捗状況に関する情報がリアルタイムで逐次表示される。また、進捗状況表示画面６５には、中止ボタン６６が表示される。操作者が、マウス１１２のカーソルを中止ボタン６６に合わせた状態でマウス１１２の右ボタンまたは左ボタンをクリックすると、表示制御部１２１の制御により進捗状況表示画面６５が閉じられると共に、報知プログラムが終了する。また、このとき、後で詳述するように、中止信号送信部１３４が、注文管理装置１６０に中止信号を送信する。
【００３８】
識別番号送信部１３２は、操作者によって、識別番号入力画面６０のＯＫボタン６３が操作された際に、識別番号入力画面６０で入力された識別番号を、インターネット３を介して注文管理装置１６０に送信する。エラー情報受信部１３３は、注文管理装置１６０の後述するエラー信号送信部１８０によって送信された、識別番号送信部１３２によって送信された識別番号が認証されなかったことを意味するエラー信号を受信する。なお、エラー信号受信部１３３がエラー信号を受信した際には、表示制御部１２１の制御によって、識別番号入力画面６０が再びディスプレイ１１３に表示される。
【００３９】
中止信号送信部１３４は、操作者によって、進捗状況表示画面６５の中止ボタン６６が操作された際に、注文管理装置１６０の後述する進捗状況送信制御部１８４の制御による進捗状況に関する情報のパソコン１１０への逐次送信を中止させる中止信号を注文管理装置１６０に送信する。
【００４０】
次に、本実施の形態の注文管理装置１６０の概略構成を示すブロック図である図３を用いて、本実施の形態の注文管理装置１６０の構成について説明する。
【００４１】
図３に示すように、注文管理装置１６０は、注文管理装置１６０全体を制御するコントローラ１７０と、インターネット３に接続するためのインターネット接続端子１６１とを備えている。
【００４２】
コントローラ１７０は、コンテンツデータ記憶部１７１、発注情報受信部１７２、発注情報記憶部１７３、発注先判断部１７４、発注情報送信部１７５、完了信号受信部１７６、識別番号発行部１７７、認証情報記憶部１７８、認証部１７９、エラー信号送信部１８０、進捗状況情報記憶部１８１、進捗状況情報判断部１８２、進捗状況情報変更部１８３、進捗状況送信制御部１８４、報知プログラム記憶部１８５、及びプログラム送信制御部１８６を備えている。
【００４３】
コンテンツデータ記憶部１７１には、上述のような初期画面１０、注文画面１５、プリンタ選択画面２０、受取場所選択画面２５、支払経路選択画面３０、カード情報入力画面３５、確認画面４０、及び完了画面４５のテンプレートデータファイルが記憶されている。なお、コンテンツデータ記憶部１７１の記憶内容は、例えば、新しいプリント店が開店し、写真プリントを作成する写真処理装置１４０の選択肢が増加した場合や、プリント店のサービスが変更され、写真プリントの受取場所の選択肢や支払経路の選択肢が変化した場合や、プリント店の営業日時が変更された場合等に、当該プリント店の店員または注文管理装置１６０の管理者によって書き換えられる。
【００４４】
発注情報受信部１７２は、パソコン１１０からインターネット３を介して送信された発注情報を受信する。発注情報記憶部１７３は、発注情報受信部１７２が受信した発注情報を記憶する。
【００４５】
発注先判断部１７４は、発注情報記憶部１７３に記憶されている発注情報に含まれる注文情報、具体的には、プリンタ選択画面２０において発注者が選択した選択肢に関する情報から、複数の写真処理装置１４０のうち、どの装置に写真プリントの発注を行うかを判断する。発注情報送信部１７５は、発注先判断部１７４によって写真プリントの発注先であると判断された写真処理装置１４０に発注情報記憶部１７３に記憶されている発注情報を送信する。
【００４６】
完了信号受信部１７６は、写真処理装置１４０の後述する完了信号送信部１５６によって送信された、写真プリントの作成が完了したことを意味する完了信号を受信する。
【００４７】
識別番号発行部１７７は、発注情報受信部１７２が発注情報を受信した際に、当該発注情報に係る注文について、ＩＤ番号及びパスワードからなる識別番号を発行する。なお、識別番号発行部１７７によって発行された識別番号は、コンテンツデータ記憶部１７１に記憶されている完了画面４５のテンプレートデータファイルに含まれる識別番号に関する情報に反映される。
【００４８】
認証情報記憶部１７８は、パソコン１１０の識別番号送信部１３２によってインターネット３を介して送信された識別番号の認証情報を記憶する。認証部１７９は、パソコン１１０の識別番号送信部１３２によってインターネット３を介して送信された識別番号を、認証情報記憶部１７８に記憶された認証情報に基づいて認証する。エラー信号送信部１８０は、パソコン１１０の識別番号送信部１３２によってインターネット３を介して送信された識別番号が、認証部１７９によって認証されなかった場合に、エラー信号をパソコン１１０に送信する。
【００４９】
進捗状況情報記憶部１８１は、写真プリント発注者が注文した写真プリントの作成についての進捗状況に関する情報を注文単位で記憶する。なお、進捗状況情報記憶部１８１には、デフォルトで「受付中」であるという情報が記憶されている。進捗状況情報判断部１８２は、写真プリントの作成についての進捗状況を判断する。具体的には、本実施の形態では、発注情報受信部１７２が発注情報をパソコン１１０から受信した後、発注情報送信部１７５が発注情報を写真処理装置１４０に送信するまでの状態を「受付中」と判断する。そして、発注情報送信部１７５が発注情報を送信した後、完了信号受信部１７６が写真処理装置１４０から送信された完了信号を受信するまでの状態を「プリント中」と判断する。さらに、完了信号受信部１７６が完了信号を受信した後の状態であって、写真プリントの受け取り場所がプリント店の店頭である場合には「受け取り待ち」と判断する。一方、完了信号受信部１７６が完了信号を受信した後の状態であって、写真プリントの受け取り場所が発注者の自宅である場合には「配送中」と判断する。
【００５０】
進捗状況情報変更部１８３は、写真プリントの作成が進捗するに連れて、進捗状況情報記憶部１８１に記憶されている進捗状況に関する情報を、注文単位で逐次変更する。具体的には、進捗状況情報記憶部１８１の記憶内容を、進捗状況情報判断部１８２によって判断された進捗状況に書き換える。進捗状況送信制御部１８４は、パソコン１１０から送信された識別番号を認証部１７９が認証した場合に、進捗状況情報記憶部１８１に記憶された当該識別番号に係る注文の進捗状況に関する情報がパソコン１１０にリアルタイムで逐次送信されるように制御する。また、進捗状況送信制御部１８４は、パソコン１１０の中止信号送信部１３４によって送信された中止信号を受信すると、進捗状況に関する情報のパソコン１１０への送信を中止する。
【００５１】
報知プログラム記憶部１８５は、進捗状況送信制御部１８４の制御に基づいてパソコン１１０に送信された進捗状況に関する情報を、パソコン１１０のディスプレイ１１３にリアルタイムで逐次表示させるような報知プログラムを格納している。プログラム送信制御部１８６は、パソコン１１０の送信要求送信部１２９によって送信された送信要求を受信すると、報知プログラム記憶部１８５に格納された報知プログラムがパソコン１１０に向けて送信されるように制御する。
【００５２】
次に、本実施の形態の写真処置装置１４０の概略構成を示すブロック図である図４を用いて、本実施の形態の写真処理装置１４０の構成について説明する。
【００５３】
図４に示すように、写真処理装置１４０は、写真処理装置１４０全体を制御するコントローラ１５０と、プリント処理を行うプリント部１４１と、写真処理装置１４０のオペレータが写真処理装置１４０に指示を入力するためのキーボード１４２、及びマウス１４３と、写真処理装置１４０に関する様々な情報を表示するためのディスプレイ１４４と、インターネット３に接続するためのインターネット接続端子１４５とを備えている。
【００５４】
コントローラ１５０は、発注情報受信部１５１、発注情報記憶部１５２、表示制御部１５３、プリント制御部１５４、完了判断部１５５、及び完了信号送信部１５６を備えている。
【００５５】
発注情報受信部１５１は、注文管理装置１６０の発注情報送信部１７５によって送信された発注情報を受信する。発注情報記憶部１５２は、発注情報受信部１５１が受信した発注情報を記憶する。
【００５６】
表示制御部１５３は、発注情報記憶部１５２の記憶内容に基づいて、ディスプレイ１４４に、図１７に示すような受注画面７０を表示させる。受注画面７０には、図１７に示すように、発注情報記憶部１５２に記憶されている発注情報に係る注文の識別番号であるＩＤ及びパスワードと、総プリント枚数と、仕上がった写真プリントの受け取り場所と、写真プリントの代金の支払い経路と、写真プリントの作成を開始する開始ボタン７１とが表示される。写真処理装置１４０のオペレータは、マウス１４３のカーソルを開始ボタン７１に合わせた状態で、マウス１４３の右ボタンまたは左ボタンを操作することによって、開始ボタン７１を操作することができる。
【００５７】
プリント制御部１５４は、発注情報記憶部１５２に記憶されている発注情報に含まれる画像データファイル及び各画像データファイルに係る画像のプリント枚数に基づいて写真プリントが作成されるようにプリント部１４１を制御する。
【００５８】
完了判断部１５５は、プリント部１４１におけるプリント処理が終了し、写真プリントの作成が完了したか否かを判断する。完了信号送信部１５６は、完了判断部１５５によって、写真プリントの作成が完了したと判断された場合に、完了信号をインターネット３を介して注文管理装置１６０に送信する。
【００５９】
次に、写真プリントシステム１において、写真プリントの注文を行い、写真プリントを作成する手順について説明する。最初に、写真プリントの注文を行う際に、パソコン１１０で行われる処理手順を示すフローチャートである図５を参照しつつ、写真プリントの注文の処理手順について説明する。
【００６０】
まず、コンテンツデータ取得部１２２が、インターネット３を介して、注文管理装置１６０からコンテンツデータを取得し、コンテンツデータ記憶部１２３がコンテンツデータ取得部１２２が取得したコンテンツデータを記憶する（ステップＳ１０１）。なお、このとき取得されるコンテンツデータは、初期画面１０、注文画面１５、プリンタ選択画面２０、受取場所選択画面２５、支払経路選択画面３０、カード情報入力画面３５、及び確認画面４０のテンプレートデータファイルである。
【００６１】
次に、表示制御部１２１の制御によって、ディスプレイ１１３に初期画面１０が表示される（ステップＳ１０２）。その後、操作者によって、開始ボタン１１が操作されたか否かが判断される（ステップＳ１０３）。開始ボタン１１が操作されていないと判断された場合には（ステップＳ１０３：ＮＯ）、開始ボタン１１が操作されたと判断されるまで、ステップＳ１０３の判断が繰り返し行われる。そして、開始ボタン１１が操作されたと判断された場合には（ステップＳ１０３：ＹＥＳ）、メディアドライブ１１４にセットされたメディアから読み出された画像データファイルが画像データ記憶部１２４に記憶される（ステップＳ１０４）。
【００６２】
続いて、合成部１２５によって、画像データ記憶部１２４に記憶されている画像データファイルのサムネイル画像ファイルが生成されると共に、コンテンツデータ記憶部１２３に記憶されている注文画面１５のテンプレートデータファイルと画像データファイルのサムネイル画像ファイルとが合成され、注文画面１５に相当する注文画面データファイルが生成される（ステップＳ１０５）。そして、表示制御部１２１の制御によって、ディスプレイ１１３に注文画面１５が表示される（ステップＳ１０６）。このとき、操作者によって、各入力欄１７に当該入力欄１７に対応する画像のプリント枚数が入力され、確定ボタン５１が操作されたか否かが判断される（ステップＳ１０７）。
【００６３】
確定ボタン５１が操作されていないと判断された場合には（ステップＳ１０７：ＮＯ）、確定ボタン５１が操作されたと判断されるまで、ステップＳ１０７の判断が繰り返し行われる。そして、確定ボタン５１が操作されたと判断された場合には（ステップＳ１０７：ＹＥＳ）、画像データ記憶部１２４に記憶されている全ての画像データファイルに係るサムネイル画像がディスプレイ１１３に表示されたか否かが判断される（ステップＳ１０８）。
【００６４】
未だディスプレイ１１３に表示されていないサムネイル画像があると判断された場合には（ステップＳ１０８：ＮＯ）、ステップＳ１０６に戻って、未だディスプレイ１１３に表示されていないサムネイル画像を含む注文画面１５が表示される。一方、全てのサムネイル画像がディスプレイ１１３に表示されたと判断された場合には（ステップＳ１０８：ＹＥＳ）、表示制御部１２１によって、プリンタ選択画面２０がディスプレイ１１３に表示される（ステップＳ１０９）。
【００６５】
続いて、操作者が、プリンタ選択画面２０に表示された複数の選択肢から１つを選択し、確定ボタン５１を操作したか否かが判断される（ステップＳ１１０）。確定ボタン５１が操作されていないと判断された場合には（ステップＳ１１０：ＮＯ）、確定ボタン５１が操作されたと判断されるまで、ステップＳ１１０の判断が繰り返し行われる。そして、確定ボタン５１が操作されたと判断された場合には（ステップＳ１１０：ＹＥＳ）、プリンタ選択画面２０において操作者が選択した選択肢に対応する写真処理装置１４０で写真プリントを作成した場合、仕上がった写真プリントの受け取り場所をプリント店の店頭にするか自宅にするかを選択可能であるか否かが判断される（ステップＳ１１１）。
【００６６】
受け取り場所を選択可能でないと判断された場合には（ステップＳ１１１：ＮＯ）、後述するステップＳ１１２、Ｓ１１３を省略して、ステップＳ１１４に進む。一方、受け取り場所を選択可能であると判断された場合には（ステップＳ１１１：ＹＥＳ）、表示制御部１２１によって、ディスプレイ１１３に受取場所選択画面２５が表示される（ステップＳ１１２）。
【００６７】
その後、操作者が、受取場所選択画面２５に表示された複数の選択肢から１つを選択し、確定ボタン５１を操作したか否かが判断される（ステップＳ１１３）。確定ボタン５１が操作されたと判断されなかった場合には（ステップＳ１１３：ＮＯ）、確定ボタン５１が操作されたと判断されるまで、ステップＳ１１３の判断が繰り返し行われる。そして、確定ボタン５１が操作されたと判断された場合には（ステップＳ１１３：ＹＥＳ）、プリンタ選択画面２０において操作者が選択した選択肢に対応する写真処理装置１４０で写真プリントを作成した場合、写真プリントの代金を現金で決済するかクレジットカードで決済するかを選択可能であるか否かが判断される（ステップＳ１１４）。
【００６８】
支払い経路を選択可能でないと判断された場合には（ステップＳ１１４：ＮＯ）、後述するステップＳ１１５、Ｓ１１６を省略して、ステップＳ１１７に進む。一方、支払い経路を選択可能であると判断された場合には（ステップＳ１１４：ＹＥＳ）、表示制御部１２１によって、ディスプレイ１１３に支払経路選択画面３０が表示される（ステップＳ１１５）。
【００６９】
続いて、操作者が、支払経路選択画面３０に表示された複数の選択肢から１つを選択し、確定ボタン５１を操作したか否かが判断される（ステップＳ１１６）。確定ボタン５１が操作されたと判断されなかった場合には（ステップＳ１１６：ＮＯ）、確定ボタン５１が操作されたと判断されるまで、ステップＳ１１６の判断が繰り返し行われる。そして、確定ボタン５１が操作されたと判断された場合には（ステップＳ１１６：ＹＥＳ）、写真プリントの代金がクレジットカードで決済されるか否かが判断される（ステップＳ１１７）。クレジットカードで決済されないと判断された場合には（ステップＳ１１７：ＮＯ）、後述するステップＳ１１８、Ｓ１１９を省略して、ステップＳ１２０に進む。
【００７０】
一方、クレジットカードで決済が行われると判断された場合には（ステップＳ１１７：ＹＥＳ）、表示制御部１２１によって、ディスプレイ１１３にカード情報入力画面３５が表示される（ステップＳ１１８）。その後、顧客によって、カード情報が入力された後、確定ボタン５１が操作されたか否かが判断される（ステップＳ１１９）。確定ボタン５１が操作されたと判断されなかった場合には（ステップＳ１１９：ＮＯ）、確定ボタン５１が操作されたと判断されるまで、ステップＳ１１９の判断が繰り返し行われる。
【００７１】
そして、確定ボタン５１が操作されたと判断された場合には（ステップＳ１１９：ＹＥＳ）、合成部１２５が、コンテンツデータ記憶部１２３に記憶されている確認画面４０のテンプレートデータファイルと、入力情報記憶部１２６に記憶されている入力データファイルとを合成することで確認画面４０に相当する確認画面データファイル生成し、表示制御部１２１が、ディスプレイ１１３に確認画面４０を表示する（ステップＳ１２０）。
【００７２】
続いて、操作者が注文内容を確認し、確定ボタン５１を操作したか否かが判断される（ステップＳ１２１）。確定ボタン５１が操作されたと判断されなかった場合には（ステップＳ１２１：ＮＯ）、確定ボタン５１が操作されたと判断されるまで、ステップＳ１２１の判断が繰り返し行われる。そして、確定ボタン５１が操作されたと判断された場合には（ステップＳ１２１：ＹＥＳ）、カード情報入力画面３５においてカード情報が入力されたか否かが判断される（ステップＳ１２２）。
【００７３】
カード情報が入力されていないと判断された場合には（ステップＳ１２２：ＮＯ）、後述するステップＳ１２３を省略して、ステップＳ１２４に進む。一方、カード情報が入力されたと判断された場合には（ステップＳ１２２：ＹＥＳ）、カード情報送信部１２８によって、カード情報記憶部１２６ｂに記憶されているカード情報が、インターネット３を介して決済サーバ１９０に送信される（ステップＳ１２３）。その後、発注情報送信部１２７によって、画像データ記憶部１２４に記憶されている画像データファイルと、注文情報記憶部１２６ａに記憶されている注文情報とからなる発注情報が、インターネット３を介して注文管理装置１６０に送信される（ステップＳ１２４）。
【００７４】
次いで、コンテンツデータ取得部１２２が、インターネット３を介して、注文管理装置１６０からコンテンツデータを取得し、コンテンツデータ記憶部１２３がコンテンツデータ取得部１２２が取得したコンテンツデータを記憶する（ステップＳ１２５）。なお、このとき取得されるコンテンツデータは、完了画面４５のテンプレートデータファイルである。その後、表示制御部１２１が、ディスプレイ１１３に完了画面４５を表示する（ステップＳ１２６）。なお、完了画面４５に表示されるダウンロードボタン４６の操作に関する処理については、後述する進捗状況を確認するための処理手順において説明するので、ここでは説明を省略する。
【００７５】
次に、図１４、図１５を用いて、注文管理装置１６０で行われる処理について説明する。図１４は、パソコン１１０から発注情報が送信された際に、注文管理装置１６０で行われる処理の手順を示すフローチャートである。図１５は、図１４に示すフローチャート中に行われる割り込み処理の手順を示すフローチャートである。
【００７６】
まず、発注情報受信部１７２が、パソコン１１０から送信された発注情報を受信したか否かが判断される（ステップＳ２０１）。発注情報を受信していないと判断された場合には（ステップＳ２０１）、発注情報が受信されたと判断されるまでステップＳ２０１での判断が繰り返される。そして、発注情報が受信されたと判断された場合には（ステップＳ２０１：ＹＥＳ）、発注情報受信部１７２が受信した発注情報が発注情報記憶部１７３に記憶されると共に、識別番号発行部１７７によって、発注情報受信部１７２が受信した発注情報に係る注文についての識別番号が発行される（ステップＳ２０２）。なお、このとき進捗状況情報判断部１８２は、写真プリントの作成についての進捗状況を「受付中」である判断する。進捗状況情報記憶部１８１には、「受付中」であるという情報が記憶されている。その後、後で詳述する割り込み処理が開始される（ステップＳ２０３）。
【００７７】
続いて、発注先判断部１７４によって、どの写真処理装置１４０に写真プリントの発注を行うが判断される（ステップＳ２０４）。そして、発注情報送信部１７５が、発注先判断部１７４によって判断された写真処理装置１４０に発注情報を送信する（ステップＳ２０５）。このとき、進捗状況情報判断部１８２が、写真プリントの作成についての進捗状況を「プリント中」であると判断し、進捗状況情報変更部１８３によって、進捗状況情報記憶部１８１に記憶されている「受付中」であるという情報が、「プリント中」であるという情報に変更される（ステップＳ２０６）。
【００７８】
その後、完了信号受信部１７６が、写真処理装置１４０から送信された完了信号を受信したか否かが判断される（ステップＳ２０７）。完了信号を受信していないと判断された場合には（ステップＳ２０７：ＮＯ）、完了信号を受信したと判断されるまで、ステップＳ２０７での判断が繰り返し行われる。そして、完了信号を受信したと判断された場合には（ステップＳ２０７：ＹＥＳ）、発注情報記憶部１７３に記憶されている発注情報、より詳細には、受取場所選択画面２５において発注者であるパソコン１１０の操作者が選択した選択肢に関する情報に基づいて、仕上がった写真プリントの受け取り場所が写真処理装置１４０が設置されたプリント店の店頭であるか否かが判断される（ステップＳ２０８）。
【００７９】
写真プリントの受け取り場所がプリント店の店頭であると判断された場合には（ステップＳ２０８：ＹＥＳ）、進捗状況情報判断部１８２が、写真プリントの作成についての進捗状況を「受け取り待ち」であると判断し、進捗状況情報変更部１８３によって、進捗状況情報記憶部１８１に記憶されている「プリント中」であるという情報が、「受け取り待ち」であるという情報に変更される（ステップＳ２０９）。
【００８０】
一方、写真プリントの受け取り場所がプリント店の店頭でない、すなわち写真プリントの受け取り場所が発注者の自宅であると判断された場合には（ステップＳ２０８：ＮＯ）、進捗状況情報判断部１８２が、写真プリントの作成についての進捗状況を「配送中」であると判断し、進捗状況情報変更部１８３によって、進捗状況情報記憶部１８１に記憶されている「プリント中」であるという情報が、「配送中」であるという情報に変更される（ステップＳ２１０）。
【００８１】
次いで、図１５を用いて、図１４のフローチャートのステップＳ２０３で開始される割り込み処理の手順について説明する。ここで行われる割り込み処理は、パソコン１１０への進捗状況に関する情報の送信についての処理であり、図１４のフローチャートのステップＳ２０４〜ステップＳ２０９、またはステップＳ２１０の処理と並行して行われる。
【００８２】
まず、パソコン１１０から送信された送信要求を受信したか否かが判断される（ステップＳ３０１）。送信要求を受信していないと判断された場合には（ステップＳ３０１：ＮＯ）、後述するステップＳ３０２を省略してステップＳ３０３に進む。一方、送信要求を受信したと判断された場合には（ステップＳ３０１：ＹＥＳ）、プログラム送信制御部１８６の制御によって、報知プログラム記憶部１８５に格納された報知プログラムがパソコン１１０に向けて送信される（ステップＳ３０２）。
【００８３】
その後、パソコン１１０から送信された識別番号を受信したか否かが判断される（ステップＳ３０３）。識別番号を受信していないと判断された場合には（ステップＳ３０３：ＮＯ）、ステップＳ３０１に戻って、送信要求を受信したか否かの判断が再び行われる。一方、識別番号を受信したと判断された場合には（ステップＳ３０３：ＹＥＳ）、認証部１７９が、パソコン１１０から送信された識別番号を認証する。このとき、認証部１７９によって識別番号が認証されたか否かが判断される（ステップＳ３０４）。
【００８４】
識別番号が認証されなかった場合には（ステップＳ３０４：ＮＯ）、エラー信号送信部１８０によって、パソコン１１０にエラー信号が送信される（ステップＳ３０５）。その後、ステップＳ３０３に戻り、識別番号を受信したか否かの判断が再び行われる。一方、識別番号が認証された場合には（ステップＳ３０４：ＹＥＳ）、進捗状況送信制御部１８４の制御によって、進捗状況情報記憶部１８１に記憶された進捗状況に関する情報のパソコン１１０への逐次送信が開始される（ステップＳ３０６）。
【００８５】
その後、パソコン１１０から送信された中止信号を受信したか否かが判断される（ステップＳ３０７）。中止信号を受信していないと判断された場合には（ステップＳ３０７：ＮＯ）、中止信号を受信したと判断されるまでステップＳ３０７の判断が繰り返される。そして、中止信号を受信したと判断された場合には（ステップＳ３０７：ＹＥＳ）、進捗状況送信制御部１８０の制御によって、進捗状況情報記憶部１８１に記憶された進捗状況に関する情報のパソコン１１０への逐次送信が中止され、割り込み処理が終了する。
【００８６】
続いて、注文管理装置１６０から発注情報が送信された際の、写真処理装置１４０における処理手順を示す図１６を参照しつつ、写真処理装置１４０で行われる処理について説明する。
【００８７】
まず、発注情報受信部１５１が、注文管理装置１６０から送信された発注情報を受信したか否かが判断される（ステップＳ４０１）。発注情報を受信していないと判断された場合には（ステップＳ４０１：ＮＯ）、発注情報を受信したと判断されるまで、ステップＳ４０１での判断が繰り返し行われる。そして、発注情報を受信したと判断された場合には（ステップＳ４０１：ＹＥＳ）、発注情報受信部１５１が受信した発注情報が、発注情報記憶部１５２に記憶される（ステップＳ４０２）。その後、表示制御部１５３によって、発注情報記憶部１５２に記憶された発注情報に含まれる注文情報に基づいて、受注画面７０がディスプレイ１４４に表示される（ステップＳ４０３）。
【００８８】
次いで、写真処理装置１４０のオペレータによって、受注画面７０の開始ボタン７１が操作されたか否かが判断される（ステップＳ４０４）。開始ボタン７１が操作されていないと判断された場合には（ステップＳ４０４：ＮＯ）、開始ボタン７１が操作されたと判断されるまで、ステップＳ４０４の判断が繰り返し行われる。そして、開始ボタン７１が操作されたと判断された場合には（ステップＳ４０４：ＹＥＳ）、プリント制御部１５４の制御によって、プリント部１４１でのプリント処理が開始される（ステップＳ４０５）。
【００８９】
その後、完了判断部１５５によって、写真プリントの作成が完了したか否かが判断される（ステップＳ４０６）。写真プリントの作成が完了していないと判断された場合には（ステップＳ４０６：ＮＯ）、写真プリントの作成が完了したと判断されるまで、ステップＳ４０６の判断が繰り返し行われる。そして、写真プリントの作成が完了したと判断された場合には（ステップＳ４０６：ＹＥＳ）、完了信号送信部１５６によって、注文管理装置１６０に完了信号が送信される（ステップＳ４０７）。
【００９０】
次に、発注者が発注した写真プリントの作成についての進捗状況の確認を行う際に、パソコン１１０で行われる処理手順を示すフローチャートである図１８を参照しつつ、進捗状況の確認の処理手順について説明する。
【００９１】
まず、図５のフローチャートに示すように、写真プリントの注文の処理手順において最後にディスプレイ１１３表示される完了画面４５のダウンロードボタン４６が操作されたか否かが判断される（ステップＳ５０１）。ダウンロードボタン４６が操作されていないと判断された場合には（ステップＳ５０１：ＮＯ）、ダウンロードボタン４６が操作されたと判断されるまで、ステップＳ５０１の判断が繰り返される。そして、ダウンロードボタン４６が操作された場合には（ステップＳ５０１：ＹＥＳ）、送信要求送信部１２９が、注文管理装置１６０に送信要求を送信する（ステップＳ５０２）。その後、注文管理装置１６０から送信される報知プログラムが、報知プログラム記憶部１３０に記憶される（ステップＳ５０３）。なお、発注者が、以前に報知プログラムを使用しており、報知プログラム記憶部１３０に既に報知プログラムが記憶されている場合には、上述のステップＳ５０１〜ステップＳ５０３は省略される。
【００９２】
続いて、操作者によって、例えば報知プログラムを実行するためのアイコン（図示せず）を操作する等の、報知プログラム記憶部１３０に記憶されている報知プログラムを実行するための操作が行われた否かが判断される（ステップＳ５０４）。報知プログラムを実行するための操作が行われていないと判断された場合には（ステップＳ５０４：ＮＯ）、操作が行われた判断されるまで、ステップＳ５０４の判断が繰り返し行われる。そして、報知プログラムを実行するための操作が行われたと判断された場合には（ステップＳ５０４：ＹＥＳ）、報知プログラム実行部１３１によって、報知プログラム記憶部１３０に記憶されている報知プログラムが実行され、ディスプレイ１１３に識別番号入力画面６０が表示される（ステップＳ５０５）。
【００９３】
次いで、操作者によって、識別番号であるＩＤ及びパスワードが入力された後、キャンセルボタン６４が操作されたか否かが判断される（ステップＳ５０６）。キャンセルボタン６４が操作されたと判断された場合には（ステップＳ５０６：ＹＥＳ）、後述するステップＳ５０７〜ステップＳ５１３の処理を省略して、進捗状況確認の処理を終了する。一方、キャンセルボタン６４が操作されていないと判断された場合には（ステップＳ５０６：ＮＯ）、ＯＫボタン６３が操作されたか否かが判断される（ステップＳ５０７）。
【００９４】
ＯＫボタン６３が操作されていないと判断された場合には（ステップＳ５０７：ＮＯ）、ステップＳ５０６に戻って、キャンセルボタン６４が操作されたか否かの判断が再び行われる。一方、ＯＫボタン６３が操作されたと判断された場合には（ステップＳ５０７：ＹＥＳ）、表示制御部１２１の制御によって、識別番号入力画面６０が閉じられると共に、識別番号送信部１３２によって、識別番号入力画面６０のＩＤ入力欄６１及びパスワード入力欄６２に入力されたＩＤ及びパスワードからなる識別番号が、注文管理装置１６０に送信される（ステップＳ５０８）。
【００９５】
その後、エラー信号受信部１３３が、注文管理装置１６０から送信されたエラー信号を受信したか否かが判断される（ステップＳ５０９）。エラー信号を受信したと判断された場合には（ステップＳ５０９：ＹＥＳ）、ステップＳ５０５に戻って、識別番号入力画面６０がディスプレイ１１３に再び表示される。一方、エラー信号を受信していないと判断された場合には（ステップＳ５０９：ＮＯ）、注文管理装置１６０から送信された進捗状況に関する情報を受信したか否かが判断される（ステップＳ５１０）。
【００９６】
進捗状況に関する情報を受信していないと判断された場合には（ステップＳ５１０：ＮＯ）、ステップＳ５０９に戻って、エラー信号を受信したか否かの判断が再び行われる。一方、進捗状況に関する情報を受信したと判断された場合には（ステップＳ５１０：ＹＥＳ）、表示制御部１２１の制御によって、進捗状況表示画面６５がディスプレイ１１３に表示される（ステップＳ５１１）。
【００９７】
続いて、操作者によって、進捗状況表示画面６５の中止ボタン６６が操作されたか否かが判断される（ステップＳ５１２）。中止ボタン６６が操作されていないと判断された場合には（ステップＳ５１２：ＮＯ）、中止ボタン６６が操作されたと判断されるまで、ステップＳ５１２の判断が繰り返し行われる。そして、中止ボタン６６が操作されたと判断された場合には（ステップＳ５１２：ＹＥＳ）、表示制御部１２１の制御によって、進捗状況表示画面６５が閉じられると共に、中止信号送信部１３４によって、中止信号が注文管理装置１６０に送信される（ステップＳ５１３）。
【００９８】
以上のように、本実施の形態の写真プリントシステム１では、注文管理装置１６０が、写真プリントの作成についての進捗状況に関する情報を注文単位で記憶する進捗状況情報記憶部１８１と、写真プリントの作成が進捗するに連れて、進捗状況情報記憶部１８１に記憶された進捗状況に関する情報を、注文単位で逐次変更する進捗状況情報変更部１８３と、進捗状況情報記憶部１８１に記憶された当該注文に係る進捗状況に関する情報がパソコン１１０にリアルタイムで逐次送信されるような制御を行う進捗状況送信制御部１８４とを備えている。したがって、写真プリント発注者が利用するパソコン１１０に逐次送信される進捗状況に関する情報により、写真プリントの発注者は、注文した写真プリントの作成についての進捗状況を知ることができる。これにより、写真プリント作成場所から離れた所にいる写真プリント発注者に対して、写真プリントの作成の進捗状況をリアルタイムに報知することができる。
【００９９】
また、本実施の形態の写真プリントシステム１は、パソコン１１０からインターネット３を介して送信されてきた識別番号の認証情報を記憶する認証情報記憶部１７８と、パソコン１１０からインターネット３を介して送信されてきた識別番号を、認証情報記憶部１７８に記憶された認証情報に基づいて認証する認証部１７９とを備えており、進捗状況送信制御部１８４が、パソコン１１０から送信されてきた識別番号を認証部１７９が認証した場合に、進捗状況に関する情報がパソコン１０に送信されるように制御する。したがって、認証部１７９で認証された識別番号を送信した人に、写真プリントの進捗状況を報知することができる。
【０１００】
また、本実施の形態の写真プリントシステム１では、注文管理装置１６０が、パソコン１１０から送信された発注情報を受信した際に、当該発注情報にかかる注文についてＩＤ及びパスワードからなる識別番号を発行する識別番号発行部１７７を備えている。したがって、写真プリント発注者に、発注者が行った注文に係る識別番号を発行することができる。そして、発注者のパソコン１１０から送信された識別番号が認証部１７９によって認証された場合に、当該識別番号に係る注文の進捗状況をパソコン１１０に送信することで、発注者が行った注文の進捗状況を、確実に発注者に報知することができる。
【０１０１】
加えて、本実施の形態の写真プリントシステム１に含まれるパソコン１１０では、報知プログラムが実行された場合に、表示制御部１２１の制御によって、注文管理装置１６０から送信された進捗状況に関する情報をリアルタイムで逐次表示する進捗状況表示画面６５がディスプレイ１１３に表示される。したがって、発注者は、発注者が利用するパソコン１１０のディスプレイ１１３を見ることによって、写真プリントの進捗状況を知ることができる。また、報知プログラムによって、写真プリントの発注者が写真プリントの作成の進捗状況をリアルタイムで知ることが容易になる。
【０１０２】
次に、本発明の第２の実施の形態ついて説明する。図２１は、本発明の第２の実施の形態に係る注文管理装置を含んで構成される写真プリントシステムの概略構成を示す図である。
【０１０３】
第２の実施の形態に係る写真プリントシステム２の構成が、第１の実施の形態に係る写真プリントシステム１の構成と主に異なる点は、写真プリントシステム１では、写真プリントの発注者は、発注者が利用するパソコン１１０を用いてインターネット３を介して写真プリントの発注を行うのに対して、本実施の形態の写真プリントシステム２では、写真プリントの発注者は、プリント店の店内に設置された写真プリント注文受付装置（以降、単に「注文受付装置」と称する）２１０を用いて写真プリントの発注を行う点である。
【０１０４】
図２１に示すように、本実施の形態の写真プリントシステム１は、いずれもプリント店の店内に設置されておりローカルエリアネットワーク（以降、「ＬＡＮ」と称する）５を介して互いに接続されている注文受付装置２１０、注文管理装置２３０、及び写真処理装置２６０と、写真プリント発注者の自宅に設置されたパソコン２８０とを備えている。なお、注文管理装置２３０及びパソコン２８０は、インターネット３に接続されている。
【０１０５】
次に、注文受付装置２１０の概略構成を示すブロック図である図２２を参照しつつ、注文受付装置２１０の構成について説明する。
【０１０６】
図２２に示すように、注文受付装置２１０は、注文受付装置２１０全体を制御するコントローラ２２０と、写真プリントの発注者が注文受付装置２１０に指示を入力するためのタッチパネル２１１ａが表面に形成されたディスプレイ２１１と、メディアドライブ２１２と、後で詳述する受付証（図２７参照）を発行するための受付証発行プリンタ２１３と、ＬＡＮ５に接続するためのＬＡＮ接続端子２１４とを備えている。
【０１０７】
コントローラ２２０は、画像データ記憶部２２１、表示制御部２２２、入力情報記憶部２２３、発注情報送信部２２４、発注信号送信部２２５、識別番号発行部２２６、及び受付証発行制御部２２７を有している。
【０１０８】
画像データ記憶部２２１は、メディアドライブ２１２にセットされたメディアからメディアドライブ２１２が読み出した画像データファイルを記憶する。表示制御部２２２は、ディスプレイ２１１に、初期画面１０、注文画面１５、受取場所選択画面２５、及び確認画面４０を表示する。また、表示制御部２２２は、６コマのサムネイル画像を含む注文画面１５を、画像データ記憶部２２１に記憶されている複数の画像データファイルに係る複数のサムネイル画像のうち、未だディスプレイ２１１に表示されていないサムネイル画像を含む別の注文画面１５に切り換える。入力情報記憶部２２３は、操作者がタッチパネル２１１ａを用いて入力した入力データを記憶する。具体的には、注文画面１５において入力されたプリント枚数、及び受取場所選択画面２５において入力された写真プリントの受け取り場所に関する選択肢からなる注文情報を記憶する。
【０１０９】
発注情報送信部２２４は、画像データ記憶部２２１に記憶されている画像データファイルと、入力情報記憶部２２３に記憶されている注文情報とからなる発注情報を写真処理装置２６０に送信する。発注信号送信部２２５は、発注情報送信部２２４が発注情報を送信したことを意味する発注信号を注文管理装置２３０に送信する。識別番号発行部２２６は、写真プリント発注者が写真プリントを注文したときに当該注文について識別番号を発行する。
【０１１０】
受付証発行制御部２２７は、図２７に示すような受付証が発行されるように受付証発行プリンタ２１３を制御する。受付証には、図２７に示すように、識別番号発行部２２６によって発行されたＩＤ及びパスワードからなる識別番号や、写真プリントの代金等が記載される。
【０１１１】
続いて、図２３を参照しつつ、注文管理装置２３０の構成について説明する。図２３は、注文管理装置２３０の概略構成を示すブロック図である。
【０１１２】
図２３に示すように、注文管理装置２３０は、コントローラ２４０と、インターネット３に接続するためのインターネット接続端子２３１と、ＬＡＮ５に接続するためのＬＡＮ接続端子２３２とを備えている。
【０１１３】
コントローラ２４０は、コンテンツデータ記憶部２４１、発注信号受信部２４２、完了信号受信部２４３、認証情報記憶部２４４、認証部２４５、エラー信号送信部２４６、進捗状況記情報憶部２４７、進捗状況情報判断部２４８、進捗状況情報変更部２４９、進捗状況送信制御部２５０、報知プログラム記憶部２５１、及びプログラム送信制御部２５２とを有している。なお、完了信号受信部２４３、認証情報記憶部２４４、認証部２４５、エラー信号送信部２４６、進捗状況情報記憶部２４７、進捗状況情報変更部２４９、進捗状況送信制御部２５０、報知プログラム記憶部２５１、及びプログラム送信制御部２５２の機能については、第１の実施の形態の注文管理装置１６０の完了信号受信部１７６、認証情報記憶部１７８、認証部１７９、エラー信号送信部１８０、進捗状況情報記憶部１８１、進捗状況情報変更部１８３、進捗状況送信制御部１８４、報知プログラム記憶部１８５、及びプログラム送信制御部１８６の機能と同様であるので、説明は省略する。
【０１１４】
コンテンツデータ記憶部２４１は、後で詳述する報知プログラム取得画面８０（図３０参照）のテンプレートデータファイルを記憶する。発注信号受信部２４２は、注文受付装置２１０から送信された発注信号を受信する。進捗状況情報判断部２４８は、写真プリントの作成についての進捗状況を判断する。具体的には、本実施の形態では、発注信号受信部２４２が発注信号を注文受付装置２１０から受信した後、完了信号受信部２４３が写真処理装置２６０から送信された完了信号を受信するまでの状態を「プリント中」と判断する。さらに、完了信号受信部２４３が完了信号を受信した後の状態であって、写真プリントの受け取り場所が店頭である場合には「受け取り待ち」と判断する。一方、完了信号受信部２４３が完了信号を受信した後の状態であって、写真プリントの受け取り場所が発注者の自宅である場合には「配送中」と判断する。
【０１１５】
図２４は、写真処理装置２６０の概略構成を示すブロック図である。図２４に示すように、写真処理装置２６０の構成は、第１の実施の形態の写真処理装置１４０のインターネット接続端子１４５の代わりに、ＬＡＮ接続端子２６５が備えられている点を除いては、第１の実施の形態の写真処理装置１４０の構成と同様であるので説明は省略する。
【０１１６】
次いで、パソコン２８０の概略構成を示すブロック図である図２５を参照しつつ、パソコン２８０の構成について説明する。図２５に示すように、パソコン２８０は、コントローラ２９０、キーボード２８１、マウス２８２、ディスプレイ２８３、及びインターネット接続端子２８４を備えている。
【０１１７】
コントローラ２９０は、表示制御部２９１、コンテンツデータ取得部２９２と、コンテンツデータ記憶部２９３、送信要求送信部２９４、報知プログラム記憶部２９６、報知プログラム実行部２９７、識別番号送信部２９８、エラー信号受信部２９９、及び中止信号送信部３００を有している。なお、コンテンツデータ取得部２９２、コンテンツデータ記憶部２９３、送信要求送信部２９４、報知プログラム記憶部２９６、報知プログラム実行部２９７、識別番号送信部２９８、エラー信号受信部２９９、及び中止信号送信部３００の機能は、第１の実施の形態のパソコン１１０のコンテンツデータ取得部１２２、コンテンツデータ記憶部１２３、送信要求送信部１２９、報知プログラム記憶部１３０、報知プログラム実行部１３１、識別番号送信部１３２、エラー信号受信部１３３、及び中止信号送信部１３４の機能と同様であるので、説明は省略する。
【０１１８】
表示制御部２９１は、ディスプレイ２８３に、報知プログラム取得画面８０、識別番号入力画面６０、及び進捗状況表示画面６５を表示する。報知プログラム取得画面８０には、図３０に示すように、注文管理装置２３０に対して報知プログラムの送信を要求するためのダウンロードボタン８１が表示される。
【０１１９】
次に、本実施の形態の写真プリントシステム２において、写真プリントの注文を行い、写真プリントを作成する手順について説明する。最初に、写真プリントの注文を行う際に、注文受付装置２１０で行われる処理手順を示すフローチャートである図２６を参照しつつ、写真プリントの注文の処理手順について説明する。
【０１２０】
まず、表示制御部２２２の制御によって、ディスプレイ２１１に初期画面１０が表示される（ステップＳ６０１）。続いて、開始ボタン１１が操作されたか否かが判断される（ステップＳ６０２）。開始ボタン１１が操作されていないと判断された場合には（ステップＳ６０１：ＮＯ）、開始ボタン１１が操作されたと判断されるまで、ステップＳ６０１の判断が繰り返し行われる。そして、開始ボタン１１が操作されたと判断された場合には（ステップＳ６０１：ＹＥＳ）、メディアドライブ２１２がメディアから読み出した画像データファイルが画像データ記憶部２２１に記憶される（ステップＳ６０３）。
【０１２１】
その後、表示制御部２２２の制御によって、ディスプレイ２１１に注文画面１５が表示される（ステップＳ６０４）。このとき、操作者によって、各入力欄１７に当該入力欄１７に対応するサムネイル画像のプリント枚数が入力され、確定ボタン５１が操作されたか否かが判断される（ステップＳ６０５）。確定ボタン５１が操作されていないと判断された場合には（ステップＳ６０５：ＮＯ）、確定ボタン５１が操作されたと判断されるまで、ステップＳ６０５の判断が繰り返し行われる。
【０１２２】
そして、確定ボタン５１が操作されたと判断された場合には（ステップＳ６０５：ＹＥＳ）、画像データ記憶部２２１に記憶されている全ての画像データファイルに係るサムネイル画像がディスプレイ２１１に表示されたか否かが判断される（ステップＳ６０６）。未だディスプレイ２１１に表示されていないサムネイル画像があると判断された場合には（ステップＳ６０６：ＮＯ）、ステップＳ６０４に戻って、未だディスプレイ２１１に表示されていないサムネイル画像を含む注文画面１５が表示される。
【０１２３】
一方、全てのサムネイル画像がディスプレイに表示されたと判断された場合には（ステップＳ６０６：ＹＥＳ）、表示制御部２２２によって、ディスプレイ２１１に受取場所選択画面２５が表示される（ステップＳ６０７）。続いて、操作者が、受取場所選択画面２５に表示された複数の選択肢から１つを選択し、確定ボタン５１を操作したか否かが判断される（ステップＳ６０８）。
【０１２４】
確定ボタン５１が操作されたと判断されなかった場合には（ステップＳ６０８：ＮＯ）、確定ボタン５１が操作されたと判断されるまで、ステップＳ６０８の判断が繰り返し行われる。そして、確定ボタン５１が操作されたと判断された場合には（ステップＳ６０８：ＹＥＳ）、表示制御部２２２が、ディスプレイ２１１に確認画面４０を表示する（ステップＳ６０９）。
【０１２５】
その後、操作者が注文内容を確認し、確定ボタン５１を操作したか否かが判断される（ステップＳ６１０）。確定ボタン５１が操作されたと判断されなかった場合には（ステップＳ６１０：ＮＯ）、確定ボタン５１が操作されたと判断されるまで、ステップＳ６１０の判断が繰り返し行われる。そして、確定ボタン５１が操作されたと判断された場合には（ステップＳ６１０：ＹＥＳ）、識別番号発行部２２６によって、ＩＤ及びパスワードからなる識別番号が発行される（ステップＳ６１１）。次いで、発注情報送信部２２４によって、写真処理装置２６０に発注情報が送信されると共に、発注信号送信部２２５によって、注文管理装置２３０に発注信号が送信される（ステップＳ６１２）。最後に、受付証発行制御部２２７の制御によって、受付証が発行される（ステップＳ６１３）。
【０１２６】
続いて、注文管理装置２３０で行われる処理について説明する。図２８は、注文受付装置２１０から発注信号が送信された際に、注文管理装置２３０で行われる処理の手順を示すフローチャートである。
【０１２７】
まず、発注信号受信部２４２が、注文受付装置２１０から送信された発注信号を受信したか否かが判断される（ステップＳ７０１）。発注信号を受信していないと判断された場合には（ステップＳ７０１：ＮＯ）、発注信号が受信されたと判断されるまでステップＳ７０１での判断が繰り返される。そして、発注信号が受信されたと判断された場合には（ステップＳ７０１：ＹＥＳ）、進捗状況情報判断部２４８が、写真プリントの作成についての進捗状況を「プリント中」である判断し、進捗状況情報変更部２４９によって、進捗状況情報記憶部２４７に記憶されている「受付中」であるという情報が、「プリント中」であるという情報に変更される（ステップＳ７０２）。その後、割り込み処理が開始される（ステップＳ７０３）。ここで行われる割り込み処理は、図１５に示す、第１の実施の形態の注文管理装置１６０で行われる割り込み処理の手順と同一であるので、説明は省略する。
【０１２８】
なお、以降のステップＳ７０４〜ステップＳ７０６、またはステップＳ７０７で行われる処理は、図１４に示す、第１の実施の形態の注文管理装置１６０で行われるステップＳ２０７〜ステップＳ２０９、またはステップＳ２１０の処理と同様であるので、説明は省略する。
【０１２９】
次いで、パソコン２８０で行われる処理の手順を示すフローチャートである図２９を参照しつつ、本実施の形態における進捗状況の確認の処理手順について説明する。
【０１３０】
まず、コンテンツデータ取得部２９２が、インターネット３を介して、注文管理装置２３０からコンテンツデータを取得し、コンテンツデータ記憶部２９３がコンテンツデータ取得部２９２が取得したコンテンツデータを記憶する（ステップＳ８０１）。次に、表示制御部２９１の制御によって、ディスプレイ２９３に報知プログラム取得画面８０が表示される（ステップＳ８０２）。その後、操作者によって、報知プログラム取得画面８０のダウンロードボタン８１が操作されたか否かが判断される（ステップ８０３）。ダウンロードボタン８１が操作されていないと判断された場合には（ステップＳ８０３：ＮＯ）、ダウンロードボタン８１が操作されたと判断されるまで、ステップＳ８０３の判断が繰り返される。そして、ダウンロードボタン８１が操作された場合には（ステップＳ８０３：ＹＥＳ）、送信要求送信部２９４が、注文管理装置２３０に送信要求を送信する（ステップＳ８０４）。
【０１３１】
なお、以降のステップＳ８０５〜ステップＳ８１５で行われる処理は、図１８に示す、第１の実施の形態のパソコン１１０で行われるステップＳ５０３〜ステップＳ５１３の処理と同様であるので、説明は省略する。
【０１３２】
また、本実施の形態の写真処理装置２６０で行われる処理は、第１の実施の形態の写真処理装置１４０で行われる処理と同様であるので、説明は省略する。
【０１３３】
以上のように、本実施の形態の写真プリントシステム２では、第１の実施の形態の写真プリントシステム１と同様に、写真プリント作成場所から離れた所にいる写真プリント発注者に対して、写真プリントの作成の進捗状況をリアルタイムに報知することができる。
【０１３４】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１及び第２の実施の形態では、注文管理装置が、進捗状況送信制御部の制御に基づいて送信された進捗状況に関する情報をパソコンがリアルタイムで逐次報知するような報知プログラムを格納した報知プログラム記憶部と、報知プログラムのパソコンへの送信要求を受信すると、報知プログラム記憶部に格納された報知プログラムがパソコンに向けて送信されるような制御を行うプログラム送信制御部とを備えている場合について説明したが、報知プログラム記憶部及びプログラム送信制御部はなくてもよい。
【０１３５】
また、上述の第１及び第２の実施の形態では、報知プログラムが実行された場合に、表示制御部の制御によって、注文管理装置から送信された進捗状況に関する情報をリアルタイムで逐次表示する進捗状況表示画面６５がディスプレイに表示される場合について説明したが、これには限られない。例えば、表示制御部及びディスプレイが備えられておらず、進捗状況に関する情報を音声によってリアルタイムで報知するようにしてもよい。
【０１３６】
また、上述の第１及び第２の実施の形態では、注文管理装置とパソコンとの間の通信が、インターネット３を介して行われる場合について説明したが、これには限られない。インターネット３を経由せず、別の通信ネットワークを経由して通信するようにしてもよい。また、２つ以上の通信ネットワークを経由して通信を行うようにしてもよい。
【０１３７】
さらに、上述の第１及び第２の実施の形態では、進捗状況情報記憶部、進捗状況情報変更部、認証情報記憶部、認証部、及び進捗状況送信制御部を備えた写真プリント注文管理装置を含んで構成される写真プリントシステムについて説明したが、これには限られない。写真プリントシステムは、写真プリント注文管理装置を含んでいなくても、写真プリント発注者が利用するパソコンと写真プリントが作成される写真処理装置とを含んで構成される通信ネットワーク上に、進捗状況情報記憶部、進捗状況情報変更部、認証情報記憶部、認証部、及び進捗状況送信制御部と同様の機能を有する要素で構成される写真プリント注文管理システムが存在していればよい。つまり、進捗状況情報記憶部、進捗状況情報変更部、認証情報記憶部、認証部、及び進捗状況送信制御部などが互いに通信ネットワークで接続された、異なるサーバ内に設けられていてもよい。
【０１３８】
加えて、上述の第１及び第２の実施の形態では、写真プリントの発注者が利用するパソコンに発注情報に関する情報が送信される場合について説明したが、これには限られない。例えば、写真プリントの発注者が利用するインターネットに接続可能な携帯電話やＰＤＡ等に、発注情報に関する情報が送信されるようにしてもよい。
【０１３９】
また、上述の第１及び第２の実施の形態では、ＩＤ及びパスワードを用いて認証を行う場合について説明したが、これに限らず、ＩＤ及びパスワードを用いない認証技術が採用されてもよい。例えば、第１の実施の形態では、発注時に注文管理装置１６０がパソコン１１０に対してクッキーを発行してもよい。その他、公知の認証技術を適宜用いることができる。
【図面の簡単な説明】
【０１４０】
【図１】本発明の第１の実施の形態に係る写真プリント注文管理装置を含んで構成される写真プリントシステムの概略構成を示す図である。
【図２】図１に示すパソコンの概略構成を示すブロック図である。
【図３】図１に示す写真プリント注文管理装置の概略構成を示すブロック図である。
【図４】図１に示す写真処理装置の概略構成を示すブロック図である。
【図５Ａ】図２に示すパソコンで行われる写真プリントの注文処理の手順を示すフローチャート（前半）である。
【図５Ｂ】図２に示すパソコンで行われる写真プリントの注文処理の手順を示すフローチャート（後半）である。
【図６】図２に示すディスプレイに表示される初期画面を示す図である。
【図７】図２に示すディスプレイに表示される注文画面を示す図である。
【図８】図２に示すディスプレイに表示されるプリンタ選択画面を示す図である。
【図９】図２に示すディスプレイに表示される受取場所選択画面を示す図である。
【図１０】図２に示すディスプレイに表示される支払経路選択画面を示す図である。
【図１１】図２に示すディスプレイに表示されるカード情報入力画面を示す図である。
【図１２】図２に示すディスプレイに表示される確認画面を示す図である。
【図１３】図２に示すディスプレイに表示される完了画面を示す図である。
【図１４】図３に示す写真プリント注文管理装置で行われる処理の手順を示すフローチャートである。
【図１５】図１４に示すフローチャート中に行われる割り込み処理の手順を示すフローチャートである。
【図１６】図４に示す写真処理装置で行われる処理の手順を示すフローチャートである。
【図１７】図４に示すディスプレイに表示される受注画面を示す図である。
【図１８】図２に示すパソコンで行われる写真プリントの作成についての進捗状況の確認処理の手順を示すフローチャートである。
【図１９】図２に示すディスプレイに表示される識別番号入力画面を示す図である。
【図２０】図２に示すディスプレイに表示される進捗状況表示画面を示す図である。
【図２１】本発明の第２の実施の形態に係る写真プリント注文管理装置を含んで構成される写真プリントシステムの概略構成を示す図である。
【図２２】図２１に示す写真プリント注文受付装置の概略構成を示すブロック図である。
【図２３】図２１に示す写真プリント注文管理装置の概略構成を示すブロック図である。
【図２４】図２１に示す写真処理装置の概略構成を示すブロック図である。
【図２５】図２１に示すパソコンの概略構成を示すブロック図である。
【図２６】図２２に示す写真プリント注文受付装置で行われる処理の手順を示すフローチャートである。
【図２７】図２２に示す受付証発行プリンタで発行される受付証を示す図である。
【図２８】図２３に示す写真プリント注文管理装置で行われる処理の手順を示すフローチャートである。
【図２９】図２５に示すパソコンで行われる処理の手順を示すフローチャートである。
【図３０】図２５に示すディスプレイに表示される報知プログラム取得画面を示す図である。
【符号の説明】
【０１４１】
１、２  写真プリントシステム
３  インターネット（通信ネットワーク）
１１０、２８０  パソコン（端末）
１１３、２８３  ディスプレイ
１２１、２９１  表示制御部（表示制御手段）
１４０、２６０  写真処理装置（プリンタ）
１６０、２３０  写真プリント注文管理装置
１７７  識別番号発行部（識別番号発行手段）
１７８、２４４  認証情報記憶部（認証情報記憶手段）
１７９、２４５  認証部（認証手段）
１８１、２４７  進捗状況情報記憶部（進捗状況情報記憶手段）
１８３、２４９  進捗状況情報変更部（進捗状況情報変更手段）
１８４、２５０  進捗状況送信制御部（進捗状況送信制御手段）
１８５、２５１  報知プログラム記憶部（報知プログラム記憶手段）
１８６、２５２  プログラム送信制御部（プログラム送信制御手段）
２２６  識別番号発行部（識別番号発行装置）
２１３  受付証発行プリンタ（識別番号発行装置）
【図１】
2006331174.tif 000003
【図２】
2006331174.tif 000004
【図３】
2006331174.tif 000005
【図４】
2006331174.tif 000006
【図５Ａ】
2006331174.tif 000007
【図５Ｂ】
2006331174.tif 000008
【図６】
2006331174.tif 000009
【図７】
2006331174.tif 000010
【図８】
2006331174.tif 000011
【図９】
2006331174.tif 000012
【図１０】
2006331174.tif 000013
【図１１】
2006331174.tif 000014
【図１２】
2006331174.tif 000015
【図１３】
2006331174.tif 000016
【図１４】
2006331174.tif 000017
【図１５】
2006331174.tif 000018
【図１６】
2006331174.tif 000019
【図１７】
2006331174.tif 000020
【図１８】
2006331174.tif 000021
【図１９】
2006331174.tif 000022
【図２０】
2006331174.tif 000023
【図２１】
2006331174.tif 000024
【図２２】
2006331174.tif 000025
【図２３】
2006331174.tif 000026
【図２４】
2006331174.tif 000027
【図２５】
2006331174.tif 000028
【図２６】
2006331174.tif 000029
【図２７】
2006331174.tif 000030
【図２８】
2006331174.tif 000031
【図２９】
2006331174.tif 000032
【図３０】
2006331174.tif 000033